(57)【特許請求の範囲】
【請求項１】
複数のスイッチング型電力増幅器を有するデジタル型の送信機の特性を診断する装置であって、 
被測定対象となる前記送信機の電力増幅動作を制御する制御信号を生成する制御信号生成手段と、
この制御信号生成手段からの制御信号を受けて個別に電力増幅に対応する２値信号に変換して前記送信機の電力増幅制御部に送出するデータ出力手段と、
前記送信機の出力信号を入力してＡ／Ｄ変換しデジタル参照信号を生成するデータ入力手段と、
このデータ入力手段によって入力された動作中の電力増幅部に対応する前記デジタル参照信号と基準データとを比較して当該送信機を診断する比較演算手段とを備え、
前記制御信号生成手段は、複数の電力増幅器の組み合わせを色々に変えた動作電力増幅器設定テーブルを備え、このテーブルに設定された組み合わせに従って、対応する電力増幅器を動作させるための制御信号を生成して送出し、
前記比較演算手段は、このテーブルに基づいた制御信号によって動作した送信機から得られた前記デジタル参照信号と基準データとを比較して送信機の劣化状況および劣化した電力増幅器を特定する、
ことを特徴とするデジタル型送信機の特性診断装置。
【請求項２】
請求項１に記載のデジタル型送信機の特性診断装置において、
被測定対象となる前記送信機に送出される試験信号をデジタル的に生成する変調信号生成部と、
この変調信号生成部で生成されたデジタル形式の試験信号をＤ／Ａ変換するＤ／Ａ変換部と、
を備えたことを特徴とするデジタル型送信機の特性診断装置。
【発明の詳細な説明】
【０００１】
【発明の属する技術分野】
本発明は、複数のスイッチング型電力増幅器を有するデジタル型の送信機の特性を診断する装置に係わり、特にデジタルＡＭ放送機などの特性を診断する装置に関する。
【０００２】
［発明の概要］
本発明は、複数のスイッチング型電力増幅器を有するデジタル型の送信機の特性を診断する装置であって、電力増幅器（ＰＡ）を個別に制御して動作させ、そのときの電力増幅器（ＰＡ）の組み合わせを色々変えて出力を測定し、基準データと比較することによって送信機の劣化を診断するとともに劣化した電力増幅器を特定できるようにしたものである。
【０００３】
【従来の技術】
従来、全固体化中波ラジオ放送機のデジタル変調方式としては、例えば、「放送技術１９９１年４月号、Ｐ１１９〜Ｐ１２５」に記載の技術が知られている。また、このデジタル変調方式の電力増幅器と電源構成とを簡素化したものとして本出願人による特許発明である「振幅変調方式」（特願平０３−２１８７３３号、特許第２６１０７２９号）も知られている。
【０００４】
図１３は中波デジタルＡＭ放送機の基本的な構成を示すブロック図である。
【０００５】
この図に示す中波デジタルＡＭ放送機は、放送対象となる音声信号を量子化して１２ビットのデジタルデータを生成する変調コンバータ１０１と、前記デジタルデータを構成するＭＳＢ側の４ビットを２4＝１６の２値信号に展開し前記キャリア信号をオン／オフ制御して複数のビッグステップ電力増幅段出力を生成するビッグステップ電力増幅部１０２と、前記デジタルデータを構成するＬＳＢ側の８ビットを８個の２値信号として前記キャリア信号を振幅変調してバイナリステップ電力増幅段出力を生成するバイナリステップ電力増幅部１０３と、各変調動作で得られた各ビッグステップ電力増幅段出力およびバイナリステップ電力増幅段出力を加算して振幅変調信号を生成する出力合成器１０４と、生成された振幅変調信号から所定帯域の振幅変調信号を抽出して出力する帯域ろ波器（ＢＰＦ）１０５とを備えている。
【０００６】
変調コンバータ１０１は、放送対象となる音声信号をＡ／Ｄ変換して１２ビットのデジタルデータを生成するＡ／Ｄ変換器１０６と、このＡ／Ｄ変換器１０６から出力される２値信号（000000000000〜111111111111）の内、ＭＳＢ側の４ビット（２8〜２11）を符号変換して均等な大きさを表す１６個の２値信号に変換してビッグステップ電力増幅部１０２に供給するとともに、Ａ／Ｄ変換器１０６から出力される２値信号の内、ＬＳＢ側の８ビット（２0〜２7）は符号変換しないで、対応する８台のバイナリステップ電力増幅部１０３に供給する。
【０００７】
ビッグステップ電力増幅部１０２は、変調コンバータ１０１から出力されるデジタルデータのＭＳＢ側４ビットに基づいて、キャリア信号を各々オン／オフ制御してビッグステップ電力増幅段出力を生成する複数（１５台）のビッグステップ電力増幅器（ビッグステップＰＡ）を備え、振幅変調信号の大まかな部分を構成するビッグステップ電力増幅段出力を生成し、これらを電力加算部１０５に供給する。
【０００８】
また、バイナリステップ電力増幅部１０３は、変調コンバータ１０１から出力されるデジタルデータのＬＳＢ側８ビットに基づいて、キャリア信号を各々オン／オフ制御してバイナリステップ電力増幅段出力を生成する複数（８台）のバイナリステップ電力増幅器（バイナリステップＰＡ）を備え、前記振幅変調信号の細かな部分を構成するバイナリステップ電力増幅段出力を出力合成器１０４に供給する。
【０００９】
出力合成器１０４は、各１次コイルがバイナリステップ電力増幅部１０３の出力端子およびビッグステップ電力増幅部１０４を構成する各ビッグステップ電力増幅器の各出力端子にそれぞれ接続されるとともに、各２次コイルが直列に接続されたトランスを備えており、ビッグステップ電力増幅部１０２から出力される各ビッグステップ電力増幅段出力と、バイナリステップ電力増幅部１０３から出力されるバイナリステップ電力増幅段出力とを加算して振幅変調信号を生成し、これを帯域ろ波器１０５に供給する。帯域ろ波器１０５は、出力合成器１０４より出力される振幅変調信号から不要な高調波成分をカットした後、所定帯域の振幅変調信号を出力する。
【００１０】
前記各電力増幅器（ＰＡ）の基本構成は全て同一であり、また、電力増幅器（ＰＡ）の出力の変更は、出力合成器１０４へのトランスの出力変成比を変更することによって実現している。さらにビッグステップ電力増幅器およびバイナリステップ電力増幅器の構成は、放送機によって異なっている。さらに電力増幅器（ＰＡ）の台数も放送機出力やＡ／Ｄ変換器の量子化数によって異なる。
【００１１】
この中波デジタルＡＭ放送機は、従来のアナログ放送機の変調部は存在せず、変調信号レベルに応じた２値信号により各電力増幅器（ＰＡ）の動作割り当てを行っているため，ＰＡ出力断などで出力が加算されない故障を除いて振幅変調信号の特性劣化は少ない。
【００１２】
ところで、上述したような中波デジタル放送機の特性を評価するための指標としては、従来のアナログ変調方式で採用されているの同様に、周波数特性、歪み率、振幅変調特性、無変調時の出力およびＳＮ比などがある。
【００１３】
しかし、これら特性評価のための指標は、いずれも音声信号入力端子から試験信号を入力させ、この試験信号に応じた放送機出力を測定しているため、どの電力増幅器がどのように動作しているか不明であり、増幅器の出力断などの故障を除き、劣化状況を適切に把握するのは困難であった。
【００１４】
【発明が解決しようとする課題】
このように、中波放送機がアナログ方式からデジタル方式に移行しつつあるにもかかわらず、その放送機特性の測定は、アナログ方式と同様の方法のままであり、個々の増幅器の劣化状況や、劣化した電力増幅器の特定は困難であった。
【００１５】
本発明は上記事情に鑑み、送信機の劣化を診断してその劣化状況の把握を可能にすると共に、劣化した電力増幅器を特定することのできるデジタル型の送信機、特にデジタルＡＭ放送機の特性診断装置を提供することを目的としている。
【００１７】
【課題を解決するための手段】
上記の目的を達成するために請求項１では、複数のスイッチング型電力増幅器を有するデジタル型の送信機の特性を診断する装置であって、被測定対象となる前記送信機の電力増幅動作を制御する制御信号を生成する制御信号生成手段と、この制御信号生成手段からの制御信号を受けて個別に電力増幅に対応する２値信号に変換して前記送信機の電力増幅制御部に送出するデータ出力手段と、前記送信機の出力信号を入力してＡ／Ｄ変換しデジタル参照信号を生成するデータ入力手段と、このデータ入力手段によって入力された動作中の電力増幅部に対応する前記デジタル参照信号と基準データとを比較して当該送信機を診断する比較演算手段とを備え、前記制御信号生成手段は、複数の電力増幅器の組み合わせを色々に変えた動作電力増幅器設定テーブルを備え、このテーブルに設定された組み合わせに従って、対応する電力増幅器を動作させるための制御信号を生成して送出し、前記比較演算手段は、このテーブルに基づいた制御信号によって動作した送信機から得られた前記デジタル参照信号と基準データとを比較して送信機の劣化状況および劣化した電力増幅器を特定することを特徴としている。
【００１８】
請求項２では、請求項１に記載のデジタル型送信機の特性診断装置において、被測定対象となる前記送信機に送出される試験信号をデジタル的に生成する変調信号生成部と、この変調信号生成部で生成されたデジタル形式の試験信号をＤ／Ａ変換するＤ／Ａ変換部とを備えたことを特徴としている。
【００１９】
請求項１の構成によれば、複数のスイッチング型電力増幅器（ＰＡ）を有する送信機の特性を診断するために、データ入力手段では、送信機の電力増幅器（ＰＡ）の特性を反映した送信機出力をデジタル参照信号として取得する。比較演算手段では、動作させる電力増幅器（ＰＡ）の組み合わせを色々に変えてデジタル参照信号を取得し、基準データと比較して劣化した電力増幅器（ＰＡ）を特定する。
【００２０】
請求項２の構成によれば、変調信号を生成して試験信号とし、この試験信号を送信機の音声入力端子に接続して送信機に供給することによって、送信機全体の特性を試験することができ、また、入力信号に対応する電力増幅器（ＰＡ）の動作状態を確認することができる。
【００２１】
【発明の実施の形態】
図１は本発明に係るデジタル型送信機の特性診断装置の実施の形態を示すブロック図である。
【００２２】
このブロック図に示すデジタルＡＭ放送機の特性診断装置（以下、単に特性診断装置と称する）１は、データ入力系２と、監視制御系３と、データ出力系４とを備え、データ入力系２によって被測定放送機から出力される音声信号を取り込んでデジタル参照信号を生成し、監視制御系３によって被測定対象となる送信機の電力増幅動作を制御するＰＡ制御信号を生成すると共に、入力された動作中の電力増幅部に対応する前記デジタル参照信号と基準データとを比較して当該送信機の特性を診断する。
【００２３】
前記データ入力系２は、高周波電圧／電流カップリング回路５と、ＤＣ電圧／電流カップリング回路６と、ミキサー回路７と、Ａ／Ｄ変換回路８とを備え、送信機出力を取り込んでＡ／Ｄ変換してデジタル参照信号を生成する。
【００２４】
高周波電圧／電流カップリング回路５は、図２に示すようじ、計器用変圧器（ＰＴ）９と、変流器（ＣＴ）１０とを備え、送信機と整合部とを結ぶ信号線上から高周波電流と、高周波電圧とを取り込み、これをミキサー回路７へ供給する。
【００２５】
ＤＣ電圧／電流カップリング回路６も、図３に示すように、計器用変圧器（ＰＴ）１２と、変流器（ＣＴ）１３とを備え、直流電源１１と電力増幅器（ＰＡ）とを結ぶ信号線上から直流電流と、直流電圧とを取り込み、これをＡ／Ｄ変換回路８へ供給する。
【００２６】
ミキサー回路７は、高周波電圧／電流カップリング回路５から供給される高周波参照信号と局部発振器からの発振信号とを乗算して所定の中間周波数信号を生成する乗算器１４を備え、入力された高周波参照信号（例えば、我が国の中波ラジオ放送帯域である５３１ｋＨｚ〜１６０２ｋＨｚ帯）の任意の周波数をｎ分の１（ｎは、５０〜１０００程度）の中間周波数に変換してＡ／Ｄ変換回路８に供給する。なお、被測定系が高周波信号系ではなく、Ａ／Ｄ変換回路８で直接サンプリングが可能な時は、このミキサー回路７は不要である。
【００２７】
Ａ／Ｄ変換回路８は、ミキサー回路７で周波数変換された高周波参照信号を入力して例えば１６ビットのデジタル参照信号を生成し、これを監視制御系３に出力する。
【００２８】
監視制御系３は、パーソナルコンピュータを用いたソフトウェアで構成されており、その機能上、測定・演算部１５と、リモート制御監視部１６とを備えている。なお、リモート制御監視部１６は、後に図１２を用いて説明するように、遠隔地にある被測定放送機に接続された特性診断装置の測定・演算部１５を制御・監視する際に必要であるが、通常の特性診断時には不要である。
【００２９】
測定・演算部１５は、図４に示すように、放送機制御部２１と、監視制御部２２とから構成されている。放送機制御部２１は、データ入力系２のＡ／Ｄ変換回路８から供給されるデジタル参照信号および直流電源電圧／電流を入力する信号入力部２３と、変調信号を生成してデータ出力系４のＤ／Ａ変換回路に出力する変調信号生成部２４と、後述する動作電力増幅器（ＰＡ）設定テーブルを備え、ＰＡ制御信号を生成してデータ出力系４のデジタル出力回路に出力するＰＡ制御信号生成部２５と、割り込み信号を生成してデータ出力系４のデジタル出力回路に出力する割り込み信号生成部２６とを備えている。
【００３０】
また、測定・演算部１５の監視制御部２２は、電力増幅器（ＰＡ）の理想特性（基準データ）を生成する理想特性生成部２７と、磁気ディスク装置などで構成され、過去に測定したデータを蓄積するデータ蓄積部２８と、理想特性生成部２７から供給されるＰＡ理想特性（基準データ）と前記信号入力部２３から供給される現在のＰＡ制御信号に対応するデジタル参照信号および直流電源電圧／電流とを比較演算して特性診断を実行する比較演算部２９と、この比較演算部２９の比較結果を表示する表示部３０と、この監視制御部２２および放送機制御部２１の各部を操作、制御する操作制御部３１とを備えている。
【００３１】
ここで、前記理想特性には、３種類があり、それぞれソフトウェア上で生成される理想的な放送機動作を行った場合に得られる特性、放送機のハードウェア構成に従ってＦＥＴ素子などの特性を加味した特性、および実際の放送機で特性劣化や故障となった場合の特性を予測して生成された特性である。比較演算部２９は、これらの特性とデータ蓄積部２８内の過去データとを用い、劣化状況を診断する。この場合、比較演算は、理想特性をグラフ表示させた上にデジタル参照信号を重ね合わせて表示させたり、理想特性を基準としてパーセント表示させたり、あるいは測定データの１つを基準として用いることもできる。すなわち、パーソナルコンピュータで実現できる各種の機能を使って、特性の比較演算、表示、および出力が可能となる。
【００３２】
前記データ出力系４は、変調信号生成部２４で生成された変調信号を入力してアナログ形式の試験信号を生成し、図５に示すように被測定放送機５１に変調信号として供給するＤ／Ａ変換回路４１と、ＰＡ制御信号生成部２５で生成されたＰＡ制御信号および割り込み信号生成部２６で生成された割り込み信号をそれぞれ入力して各電力増幅器（ＰＡ）に対応するデジタル信号に変換し、ＴＴＬレベルで受け渡しを行うデジタル出力回路４２と、デジタル出力回路４２から出力されたＰＡ参照信号と割り込み信号とを、図５に示すように被測定放送機５１のＰＡ制御部５３に供給する割り込み制御回路４３とを備えている。
【００３３】
この場合、図６に示すように、特性診断装置１の割り込み制御回路４３は、被測定放送機５１のＰＡ制御部５３内に接続される。その接続箇所は、各電力増幅器（ＰＡ）５４、５５を制御できる場所とし、この実施の形態では，デコードＩＣ５８とラッチＩＣ５９の間に挿入されている。そして、必要に応じて放送機制御部２１で生成された割り込み信号により被測定放送機５１内のＰＡ制御部５３を動作し、被測定放送機５１内のＡ／Ｄ変換器５２を切り離し、本装置１からのＰＡ制御信号により各電力増幅器（ＰＡ）を任意に駆動する。ＰＡ制御信号は被測定放送機５１のＰＡ制御部５３に用いる２値信号と同種類とし、例えば、ＴＴＬ信号で構成できる。なお、割り込み制御回路４３が被測定放送機５１に予め用意されている場合には、この回路のＰＡ制御信号端子、割り込み信号端子に信号を接続するだけでよい。
【００３４】
また、特性診断装置１を被測定放送機５１に適用する場合には、図５に示すように、変調信号は、変調信号入力に接続され、被測定放送機５１の変調に用いられる。また、被測定放送機５１に高周波電圧／電流カップリング回路５およびＤＣ電圧／電流カップリング回路６を備えていない放送機の場合には、これらのカップリング回路５、６を接続し、高周波電流／電圧カップリング回路５の出力端はミキサー回路７の入力端に、ＤＣ電圧／電流カップリング回路６の出力端はＡ／Ｄ変換回路８に接続する。そして、被測定放送機５１のＰＡ制御部５３を制御し、任意の電力増幅器（ＰＡ）５４、５５を動作させる。次いで、被測定放送機５１の放送機出力からカップリングしたＲＦ信号（電圧／電流）および電源部５７からＰＡ電源供給用ＤＣ信号（電圧／電流）を特性診断装置１に取り込み、以下のようにして特性試験が実施される。
【００３５】
次に、本実施の形態における特性試験について系統的に説明する。
【００３６】
図７は、特性試験における診断動作の全体手順を示すフローチャートである。この診断動作は、前記監視制御部２２の比較演算部２９を中心に実行される。
【００３７】
＜変調部動作試験（ステップＳＴ１）＞
このフローチャートに示すように、変調部動作試験は、図５に示す被測定放送機５１の変調入力部からＡ／Ｄ変換器５１およびＰＡ制御部５３に至るまでの動作試験である。特性診断装置１によって生成されたサイン波やステップ信号を入力し、対応する電力増幅器（ＰＡ）５４、５５の動作を診断して劣化箇所を判定する。
【００３８】
＜個別ＰＡ評価試験（ステップＳＴ２）＞
個別のＰＡ特性を評価するための試験であり、故障したＦＥＴを有する電力増幅器（ＰＡ）を検索するとともに、各電力増幅器（ＰＡ）の特性を相互評価する。個別ＰＡ評価試験は、被測定放送機５１に接続されたＰＡ制御回路によって、個別またはグループで電力増幅器（ＰＡ）を駆動する。そして、電力増幅器（ＰＡ）出力を参照して各電力増幅器（ＰＡ）の動作を評価する。本特性診断装置１は、被測定放送機５１の構成に合わせ、各電力増幅器（ＰＡ）を任意に入り切りできる構成とする。評価項目としては、故障したＦＥＴを有する電力増幅器（ＰＡ）の検出、出力、Ｃ／Ｎ、スプリアス、制御応答時間や結合系に起因するトランジェントなどが挙げられる。次に、この個別ＰＡ評価試験について詳細に説明する。
【００３９】
電力増幅器（ＰＡ）は、例えば図８に示すように、８個のＦＥＴを用いたＳＥＰＰ回路によって構成されている。この場合、いずれかのＦＥＴがショートすると、ヒューズが溶断して、ＳＥＰＰ回路が成立しないため、故障表示がされ、電力増幅器（ＰＡ）の故障を特定することができる。しかし、並列に接続されたＦＥＴのいずれかがオープンモードで故障した場合には、動作は継続しているため、故障表示はされず、出力低下も軽微であるため、電力増幅器（ＰＡ）の故障を特定することができない。
【００４０】
図９は、ＦＥＴ１個がオープンモードで故障した時の電力増幅器（ＰＡ）の出力変化を計算した結果を示している。中波デジタルＡＭ放送機の場合、電力増幅器（ＰＡ）の動作台数が増加するにつれ、１台あたりの出力インピーダンスは低下し、その出力は増大してゆく。そして、図９に示すように、正常な場合（実線で示す）と、故障の場合（破線で示す）とでは、出力差が次第に大きくなり、正常な電力増幅器（ＰＡ）による合成出力寄与分が大きくなっても、合成出力に対する故障ＰＡユニットの占める出力低下が顕著に現れる。そこで、この実施の形態では、故障ＰＡユニットに起因する出力低下が顕著に現れるまで、後述するように、複数の電力増幅器（ＰＡ）を動作させ、その出力変化を検出する。さらに、動作中の電力増幅器（ＰＡ）の組み合わせを変更して劣化している電力増幅器（ＰＡ）を特定する。
【００４１】
図１０は、ＦＥＴ一個がオープンモードで故障した場合の故障ＰＡ診断処理を示すフローチャートである。また、図１１は、電力増幅器（ＰＡ）の動作の組み合わせを設定した動作ＰＡ設定テーブルの構成例を示している。この動作ＰＡ設定テーブルは、前記ＰＡ制御信号生成部２５内に設けられており、Ｓ＝１〜６までの６通りについて電力増幅器（ＰＡ）の組み合わせを設定したものである。この例では、３ｋＷハイブリッド型放送機を用い、ビッグステップ電力増幅器（ＰＡ）内のＦＥＴ一個が故障した場合である。このハイブリッド型放送機では、入力音声信号をデジタル信号に変換した後、ＬＳＢ側の数ビットを再びＤ／Ａ変換してアナログ信号に戻し、このアナログ信号でアナログ変調、電力増幅を行い、ＭＳＢ側のビットを使用したデジタル電力増幅出力と合成するものである。このため、図６に示す割り込み制御回路４３の信号の一部がＤ／Ａ変換回路４１に供給されるものとする。アナログ部の影響を除くには、アナログ部を構成するＬＳＢ側の該当ビットを“０”にすれば良い。
【００４２】
図１０のフローチャートにおいて、診断動作が開始されると、初期設定として診断処理の実施回数を示す変数ＳがＳ＝６に設定される（ステップＳＴ１１）。
【００４３】
ここで、Ｏｕｔ（Ｓ）：テーブルＳの電力増幅器（ＰＡ）の組み合わせにおける放送機出力
Ｉｄｅａｌ＿Ｎ：特性診断装置で生成された放送機正常時の理想特性と定義する。
【００４４】
診断処理をＳ回実施した結果、Ｓ回全てが、Ｏｕｔ（Ｓ）＝Ｉｄｅａｌ＿Ｎである場合（ステップＳＴ１２YES）には、６台全てが正常とみなすことができる（ステップＳＴ１３）。
【００４５】
一方、１回のみ、Ｏｕｔ（Ｓ）＝Ｉｄｅａｌ＿Ｎである場合（ステップＳＴ１４YES）には、ＰＡ（Ｓ）のみが故障であるとみなされる（ステップＳＴ１５）。また、複数回に渡って、Ｏｕｔ（Ｓ）＝Ｉｄｅａｌ＿Ｎが成立する場合には、電力増幅器（ＰＡ）が複数台、故障しているとみなされる。故障の電力増幅器（ＰＡ）が複数ある場合には、出力低下の組み合わせが複数ある。また、出力が最も低かった組み合わせ以外のＰＡ（Ｓ）が故障しているものと判定される（ステップＳＴ１６）。例えば、Ｓ＝３，４，５，６の時に、Ｏｕｔ（Ｓ）の値が一番低い場合には、ＰＡ１とＰＡ２が故障していることが判るのである。
【００４６】
なお、この実施の形態における個別ＰＡ評価試験では、ＦＥＴが１個故障した場合の検出方法を説明したが、複数個のＦＥＴが故障した電力増幅器（ＰＡ）の検出も、前記理想特性を用いることにより可能である。
【００４７】
＜電源部評価試験（ステップＳＴ３）＞
図５に示した電源部５７の電源電圧／電流を診断するための試験である。この試験では、電力増幅器（ＰＡ）を動作させ、ＰＡ供給用のＤＣ電源電圧、電流波形を診断する。また、動作ＰＡ数を増加し、電源過負荷時の電源耐力試験も実施する。
【００４８】
＜出力合成部、および空中線などの過電圧耐力試験（ステップＳＴ４）＞
図５に示した被測定放送機５１の出力合成部５６、および空中線の過電圧耐力試験を行う。この試験では、各電力増幅器（ＰＡ）５４、５５を制御し、定格平均出力の４倍まで任意の高周波電力を所要の間隔で出力し、出力合成部５６及びＢＰＦ部など放送機出力段、整合回路および２重給電回路など空中線系の各素子および素子間の過電圧耐力を診断する。
【００４９】
図１２は、本発明による特性診断装置の適用例を示している。同図に示すように、演奏所設備には特性診断装置１Ａが、放送所設備には特性診断装置１Ｂがそれぞれ設けられている。特に、演奏所設備の特性診断装置１Ａには、測定演算部１５Ａに接続された前記リモート制御監視部１６Ａが設けられており、演奏所設備側から放送所設備の特性診断装置１Ｂを遠隔操作し、デジタルＳＴＬ６１、デジタルＳＴＬ６２を介して放送所設備にあるデジタルＡＭ放送機６３の電力増幅器（ＰＡ）の制御を実行する。これにより、遠隔地において、デジタルＡＭ放送機６３の出力データを収集することができる。取得されたデータは、ＴＳＬ（Transmitter To Studio Link）６４、６５を介して、または他の伝送手段を介して演奏所設備へ伝送される。
【００５０】
このように、この実施の形態によれば、電力増幅器（ＰＡ）に並列に多数のＦＥＴが使用された電力増幅器（ＰＡ）において、ＦＥＴ一つがオープンモードで故障してもその劣化した電力増幅器（ＰＡ）を特定することが可能となる。
【００５１】
以上、デジタルＡＭ放送機に適用した形態を説明したが、本発明はこれに限られず、スイッチング型電力増幅器の動作のみで出力が決定される装置であれば、本特性診断装置の適用が可能である。
【００５２】
【発明の効果】
以上説明したように請求項１の発明によれば、送信機の劣化を診断してその劣化状況の把握が可能となり、また、劣化した電力増幅器を特定することが可能となる。
【００５３】
請求項２の発明によれば、試験信号を送信機の音声入力端子に接続して送信機に供給することによって、送信機全体の特性を試験することが可能となり、また、入力信号に対応する電力増幅器（ＰＡ）の動作信号を確認することが可能となる。
【図面の簡単な説明】
【図１】本発明による特性診断装置の実施の形態の全体構成を示すブロック図である。
【図２】図１に示した特性診断装置で使用される高周波電圧／電流カップリング回路の構成を示すブロック図である。
【図３】図１に示した特性診断装置で使用されるＤＣ電圧／電流カップリング回路の構成を示すブロック図である。
【図４】図１に示した特性診断装置の監視制御系を構成する測定・演算部の構成を示すブロック図である。
【図５】図１に示した特性診断装置と、被測定放送機との関係を示す説明図である。
【図６】図１に示した特性診断装置と、被測定放送機のＰＡ制御部との接続関係を示す説明図である。
【図７】図１に示した特性診断装置で実行される特性試験の全体の処理順序を示すフローチャートである。
【図８】特性試験の対象となる電力増幅器（ＰＡ）を構成するＳＥＰＰ回路を示す回路図である。
【図９】図８に示したＳＥＰＰ回路を構成するＦＥＴ１個がオープンモードで故障した時のＰＡ出力変化を示す説明図である。
【図１０】故障した電力増幅器（ＰＡ）を診断する処理手順を示すフローチャートである。
【図１１】故障した電力増幅器（ＰＡ）を診断する際に使用される動作ＰＡ設定テーブルの一例を示す構成説明図である。
【図１２】本発明による特性診断装置の適用例を示す説明図である。
【図１３】中波デジタルＡＭ放送機の基本構成を示すブロック図である。
【符号の説明】
１，１Ａ，１Ｂ：特性診断装置、２：データ入力系、３：監視制御系、４：データ出力系、５：高周波電圧／電流カップリング回路、６：ＤＣ電圧／電流カップリング回路、７：ミキサー回路、８：Ａ／Ｄ変換回路、９：計器用変圧器（ＰＴ）、１０：変流器（ＣＴ）、１１：直流電源、１２：計器用変圧器（ＰＴ）、１３：変流器（ＣＴ）、１４：乗算器、１５，１５Ａ，１５Ｂ：測定・演算部、１６，１６Ａ：リモート制御監視部、２１，２１Ｂ：放送機制御部、２２：監視制御部、２３：信号入力部、２４：変調信号生成部、２５：ＰＡ制御信号生成部、２６：割り込み信号生成部、２７：理想特性生成部、２８：データ蓄積部、２９：比較演算部、３０：表示部、３１：操作制御部、４１：Ｄ／Ａ変換回路、４２：デジタル出力回路、４３：割り込み制御回路、５１：被測定放送機、５２：ＰＡ制御部、５４：ビッグステップ電力増幅器（ＰＡ）、５５：バイナリステップ電力増幅器（ＰＡ）、５６：出力合成部、５７：電源部、５８：デコードＩＣ、５９：ラッチＩＣ、６１，６２：デジタルＳＴＬ、６４，６５：ＴＳＬ
【図１】
0004008568.tif 000002
【図２】
0004008568.tif 000003
【図３】
0004008568.tif 000004
【図４】
0004008568.tif 000005
【図５】
0004008568.tif 000006
【図６】
0004008568.tif 000007
【図７】
0004008568.tif 000008
【図８】
0004008568.tif 000009
【図９】
0004008568.tif 000010
【図１０】
0004008568.tif 000011
【図１１】
0004008568.tif 000012
【図１２】
0004008568.tif 000013
【図１３】
0004008568.tif 000014